(57)【特許請求の範囲】
【請求項１】
杭頭が筒状をしており、
ベースプレートの下面に、杭頭内をルーズホールとする外周サイズの杭頭内突出体が一体的に設けられ、
前記杭頭のルーズホールの内周と前記杭頭内突出部の外周とはそれぞれ円形に形成され、
該杭頭内突出体の外周部と杭頭内周部との間に詰め物がされ、
該詰め物は、杭頭の内周部に対応する外周部を備えると共に、杭頭内突出体の外周部に対応する内周部を備え、かつ、内周部の曲率中心位置と外周部の曲率中心位置とを平面方向に相対変化させることができるようになっている部品からなり、
該詰め物によって、ベースプレートと杭頭との相対的横スベリの発生が規制されるようになされていることを特徴とする杭頭へのベースプレートの取付け構造。
【発明の詳細な説明】
【０００１】
【発明の属する技術分野】
本発明は、杭頭へのベースプレートの取付け構造に関する。
【０００２】
【従来の技術】
図５に示すように、地中に打った鋼管杭５１と上部構造物である建物の鉄骨柱５２とを連結する場合の方法として、鋼管杭５１の杭頭天面にベースプレート５３を取り付けると共に、このベースプレート５３と、柱５２のベースプレート５４とをボルト５５…で接合する方法がある。
【０００３】
この連結方法において、杭５１の芯と建物のモジュールが一致しない場合もあることから、そのような場合のために、杭５１側のベースプレート５３のボルト通孔５３ａ…あるいは柱５２側のベースプレート５４のボルト通孔５４ａ…をルーズホールにしておき、このルーズホールによって芯の不一致を吸収させるようにすることも行われている。
【０００４】
そして、この芯不一致の吸収において、ボルト通孔をルーズホールにするだけでは、ベースプレート５３，５４間にスベリを生じるおそれがあり、それが建物の上部構造物の横スベリを生じさせる原因となることから、上部構造物の横スベリを防ぐため、ボルト５５…とボルト通孔５３ａ…又は５４ａ…との間の隙間に詰め物をする方法がある。
【０００５】
【発明が解決しようとする課題】
しかるに、杭５１側のベースプレート５３と柱５２側のベースプレート５４を接合するボルト通孔５３ａ，５４ａは、それぞれ一つづつでは足りず、図示するように少なくとも４つづつ、一般的に８つ以上必要であり、ルーズホールにしたボルト通孔のすべてあるいはいずれか複数に横スベリ防止用の詰め物をしていったのでは、施工が非常に厄介なものになってしまうという問題があった。
【０００６】
本発明は、上記のような問題点に鑑み、杭芯と上部構造物との横ズレを吸収することができるものでありながら、杭と上部構造物との横スベリの発生を確実に防ぐことができ、それでいて、横スベリ防止のための施工を容易に行うことができる杭頭へのベースプレートの取付け構造を提供することを課題とする。
【０００７】
【課題を解決するための手段】
上記の課題は、杭頭が筒状をしており、
ベースプレートの下面に、杭頭内をルーズホールとする外周サイズの杭頭内突出体が一体的に設けられ、
この杭頭内突出体の外周部と杭頭内周部との間に詰め物がされ、
この詰め物によって、ベースプレートと杭頭との相対的横スベリの発生が規制されるようになされていることを特徴とする杭頭へのベースプレートの取付け構造によって解決される。
【０００８】
この構造では、ベースプレート下面の杭頭内突出部を、ルーズホールとなる杭頭内で横方向に移動させていくことにより、杭芯と上部構造物との横ズレを吸収していくことができる。
【０００９】
しかも、杭頭内突出体の外周部と杭頭内周部との間に詰め物がされているので、この詰め物によって、杭と上部構造物との横スベリの発生を確実に防ぐことができる。
【００１０】
そして、詰め物は杭頭内突出体の外周部と杭頭内周部との間の一箇所にするだけでよいから、上記の杭と上部構造物との横スベリ防止のための施工を容易に行うことができる。
【００１１】
上記の取付け構造において、杭頭のルーズホールの内周と前記杭頭内突出部の外周とがそれぞれ円形に形成され、
前記詰め物が、杭頭の内周部に対応する外周部を備えると共に、杭頭内突出体の外周部に対応する内周部を備え、かつ、内周部の曲率中心位置と外周部の曲率中心位置とを平面方向に相対変化させることができるようになっているものからなる場合は、
杭に芯ズレを生じている場合のその芯ズレの方向や距離にかかわらず、この詰め物を用いるだけで、杭と上部構造物との横スベリの発生を防ぐことができ、施工を容易に行うことができる。
【００１２】
【発明の実施の形態】
次に、本発明の実施形態を図面に基づいて説明する。
【００１３】
図１及び図２に示す第１実施形態の取付け構造において、１は杭、２はベースプレートである。杭１は円形鋼管杭からなり、杭頭１ａは、杭１の本体部を構成する円形鋼管によって筒状をしている。
【００１４】
ベースプレート２の下面の中央部には、円形鋼管からなる杭頭内突出体３が溶接等で一体的に取り付けられている。この杭頭突出体３は、その外径が杭頭１ａの内径よりも小さく設定されていて、杭頭１ａ内をルーズホールとして杭頭１ａ内に突出され、杭頭１ａ内で、突出体３を横方向に動かすことによって、杭頭１ａに対するベースプレート２の平面方向における位置を調節することができるようになっている。
【００１５】
そして、この位置調節状態を固定するため、この杭頭内突出体３の外周部と杭頭１ａの内周部との間には詰め物４がされており、この詰め物４によって、ベースプレート２と杭頭１ａとの相対的横スベリの発生が規制されるようになされている。
【００１６】
この詰め物４は、外周側の円の中心と内周側の円の中心とを偏心させた第１、第２の二つの断面三日月状部品５，６からなっていて、第１の三日月状部品５は、その円弧状外周面５ａの曲率半径が杭頭１ａの内周半径と略同じ寸法に設定されており、第２の三日月状部品６は、その円弧状内周面６ｂの曲率半径が杭頭内突出体３の外周半径と略同じ寸法に設定されている。そして、これら第１、第２の三日月状部品５，６は、第１の三日月状部品５の円弧状内周面５ｂと、第２の三日月状部品６の円弧状外周面６ａとが、それらの円の中心を一致させるようにして相対回転可能に組み合わされることで、詰め物４を構成している。
【００１７】
この詰め物４では、図２（イ）乃至（ハ）に示すように、第１，第２の三日月状部品５，６を相対回転することにより、第１の三日月状部品５の外周部５ａの曲率中心位置と、第２の三日月状部品６の内周部６ｂの曲率中心位置とが、平面方向に相対変化する。
【００１８】
この詰め物４を、杭頭内突出体３の外周部と杭頭１ａの内周部との間の隙間に詰めることで、この隙間は詰め物４で充填され、杭１に対するベースプレート２の横スベリの発生が防がれる。
【００１９】
なお、本実施形態では、詰め物４と杭頭１ａとはネジ７で連結されており、また、杭頭内突出体３の下端部には、側方に張り出すプレート８が取り付けられ、このプレート８が詰め物４と係合しており、それによって、杭頭１ａからのベースプレート２の上方への抜けが規制されるようになされている。三日月状部品５，６については、それらがネジなどで互いに一体化されていてもよいし、単に嵌合されているだけでもよい。また、上記のような取付け状態において、ベースプレート８が回転するのを防ぐための固定を行うようにするのもよい。
【００２０】
そして、このベースプレート２に対し、そのボルト通孔２ａ…を利用して、例えば、上部構造物である柱のベースプレートをボルト接合すれば、杭１と建物の上部構造物とが連結される。このボルト接合において、杭１側のベースプレートのボルト通孔２ａ…や、柱側のベースプレートのボルト通孔をルーズホールにする必要はなく、従って、上下のベースプレートの横スベリをボルトに防がせることができ、ボルト通孔への詰め物は、これを排除することができる。
【００２１】
このように、上記の取付け構造では、杭頭内突出体３を、ルーズホールとなる杭頭１ａ内で横方向に移動させていくことにより、杭芯と上部構造物との横ズレを吸収することができ、しかも、杭頭内突出体３の外周部と杭頭１ａの内周部との間に詰め物４がされているので、この詰め物４によって、杭１と上部構造物との横スベリの発生を確実に防ぐことができる。そして、詰め物４は杭頭内突出体３の外周部と杭頭１ａの内周部との間の一箇所にセットするだけでよいから、杭１と上部構造物との横スベリ防止のための施工を容易に行うことができる。更に、詰め物４として第１、第２の三日月状部品５，６を組み合わせたものを用いているから、杭１に芯ズレを生じている場合のその芯ズレの方向や距離にかかわらず、この詰め物４を用いるだけで、杭１と上部構造物との横スベリの発生を防ぐことができ、施工を容易に行っていくことができる。
【００２２】
図３には、詰め物４の変形例を示す。この詰め物４も、第１，第２の二つの部品５，６からなるものであるが、いずれも三日月状の開放断面ではなく、外周部５ａ，６ａの曲率中心位置と内周部５ｂ，６ｂの曲率中心とを偏心させた閉鎖断面の円筒状部品からなっている。このような態様の詰め物４であっても、三日月形の場合と同様に、内周部５ｂの曲率中心位置と外周部６ａの曲率中心位置とを平面方向に相対変化させることができる。
【００２３】
このように、詰め物４は、要は、杭頭１ａの内周部に対応する外周部５ａを備えると共に、杭頭内突出体３の外周部に対応する内周部６ｂを備え、かつ、内周部６ｂの曲率中心位置と外周部５ａの曲率中心位置とを平面方向に相対変化させることができるようになっているものであればよく、部品の数や形態などに特段の制限はない。
【００２４】
図４に示す第２実施形態では、杭頭内突出体３が、内周に雌ネジ部９ａを有する筒体９と、外周に雄ネジ部１０ａを有する雄ネジ体１０とで構成されており、筒体９がベースプレート２の下面中央部に溶接等で一体的に取り付けられ、この筒体９に雄ネジ体１０が下方に突出するように螺合されている。そして、詰め物４の内周部には雌ネジ部４ａが形成され、この雌ネジ部４ａに、前記雄ネジ体１０の雄ネジ部１０ａが螺合されている。また、詰め物４は、ボルト１１…で杭頭１ａの内部に固定されている。
【００２５】
この取付け構造によれば、杭頭１ａに対するベースプレート２の高さ位置を高低調整することができ、杭頭１ａに高さ方向の施工誤差を生じている場合に、この施工誤差を吸収してベースプレート２を上部構造物との関係で適正な高さ位置に設定することが可能となる。
【００２６】
以上に、本発明の実施形態を示したが、本発明はこれに限られるものではなく、発明思想を逸脱しない範囲で、各種の変更が可能である。例えば上記の実施形態では、杭頭が鋼管杭の鋼管端で構成されている場合を示しているが、杭鋼管の端部に筒状金物を備えさせ、この金物を杭頭とするものであってもよい。また、このような筒状金物を杭頭とし、杭本体は円形鋼管以外のものであってもよい。
【００２７】
【発明の効果】
本発明は、以上のとおりのものであるから、杭芯と上部構造物との横ズレを吸収することができるものでありながら、杭と上部構造物との横スベリの発生を確実に防ぐことができ、それでいて、横スベリ防止のための施工を容易に行うことができる。
【図面の簡単な説明】
【図１】第１実施形態の取付け構造を示すもので、図（イ）は断面側面図、図（ロ）は図（イ）のＩ−Ｉ線断面図である。
【図２】図（イ）乃至図（ハ）はそれぞれ、上記取付け構造において用いられる詰め物について、その部品の相対回転位置を種々変化させた状態の平面断面図である。
【図３】詰め物の変形例を示すもので、図（イ）は第１部品の平面断面図、図（ロ）は第２部品の平面断面図、図（ハ）はこれら部品を組み合わせて構成された詰め物の平面断面図である。
【図４】第２実施形態の取付け構造を示すもので、図（イ）は断面側面図、図（ロ）は図（イ）のＩＩ−ＩＩ線断面図である。
【図５】従来例を示すもので、柱側のベースプレートと杭側のベースプレートとを分離状態にして示す一部断面斜視図である。
【符号の説明】
１…杭
１ａ…杭頭
２…ベースプレート
３…杭頭内突出体
４…詰め物
【図１】
0003850728.tif 000002
【図２】
0003850728.tif 000003
【図３】
0003850728.tif 000004
【図４】
0003850728.tif 000005
【図５】
0003850728.tif 000006